【手続補正書】
【提出日】平成26年9月25日(2014.9.25)
【手続補正１】
【補正対象書類名】特許請求の範囲
【補正対象項目名】全文
【補正方法】変更
【補正の内容】
【特許請求の範囲】
【請求項１】
メディアプログラムおよび広告をユーザデバイスに送信する方法であって、
前記ユーザデバイス上でユーザ情報を提供する選択肢を提示する命令を任意選択で含む第１のデータを前記ユーザデバイスに送信するステップと、
前記ユーザ情報を任意選択で含む第２のデータを前記ユーザデバイスから受け入れるステップと、
前記メディアプログラムおよび広告を前記ユーザ情報に従って前記ユーザデバイスにストリーミングするステップと、
を備える、方法。
【請求項２】
前記ユーザ情報は、ユーザ調査返答を備える、請求項１に記載の方法。
【請求項３】
ユーザ調査返答を提供する選択肢は、前記ユーザデバイスから受信される、前記メディアプログラムに対する要求に応答して、かつ前記メディアプログラムをストリーミングする前に提示される、請求項２に記載の方法。
【請求項４】
前記広告は、第１の量の広告、または前記第１の量の広告より少ない第２の量の広告を備え、
前記メディアプログラムおよび広告を前記ユーザ情報に従って前記ユーザデバイスに送信するステップは、
前記第２のデータがユーザ調査返答を含まない場合に、前記メディアプログラムおよび前記第１の量の広告を送信するステップと、
前記第２のデータがユーザ調査返答を含む場合に、前記メディアプログラムおよび前記第２の量の広告を送信するステップと、
を備える、請求項３に記載の方法。
【請求項５】
前記第２の量の広告は、前記第１の量の広告より短い継続時間を有する、請求項４に記載の方法。
【請求項６】
前記第２の量の広告は、前記第１の量の広告より少ない広告を有する、請求項４に記載の方法。
【請求項７】
前記広告は、第１の数の広告ブレーク、または前記第１の数の広告ブレークより少ない第２の数の広告ブレークの中で提示され、
前記メディアプログラムおよび広告を前記ユーザ情報に従って前記ユーザデバイスに送信するステップは、
前記第２のデータがユーザ調査返答を含まない場合、前記メディアプログラム、および前記第１の数の広告ブレークの中の前記広告を送信するステップと、
前記第２のデータがユーザ調査返答を含む場合、前記メディアプログラム、および前記第２の数の広告ブレークの中の前記広告を送信するステップと、
を備える、請求項３に記載の方法。
【請求項８】
前記第１のデータを前記ユーザデバイスに送信するステップは、
ユーザおよびユーザデバイスを備えるグループから選択されるエンティティを一意に識別する識別情報を前記ユーザデバイスから受信するステップと、
少なくとも部分的に前記識別情報に基づいて、前記第１のデータが、前記ユーザ情報を提供する選択肢を提示する命令を含むべきかどうかを決定するステップと、
前記決定に従って、前記ユーザ情報を提供する選択肢を提示する命令を備える前記第１のデータを送信するステップと、
を備える、請求項２に記載の方法。
【請求項９】
前記識別情報は、前記ユーザデバイスを一意に識別する、請求項８に記載の方法。
【請求項１０】
前記識別情報は、前記ユーザを一意に識別する、請求項８に記載の方法。
【請求項１１】
前記第１のデータが、前記ユーザ情報を提供する選択肢を提示する命令を含むかどうかを決定するステップは、
直前のユーザ調査返答が前記識別されたエンティティから受信されて以来経過した時間を備える、前記識別されたエンティティの調査履歴と、
前記識別されたエンティティの視聴履歴であって、
前記直前のユーザ調査返答が前記識別されたエンティティから受信されて以来の、前記識別されたエンティティに対する視聴継続期間情報と、
前記直前のユーザ調査返答が前記識別されたエンティティから受信されて以来の、前記識別されたエンティティにより視聴されたメディアプログラムの数と、
削除された、以前に受け入れられたユーザ調査返答を備える、前記識別されたエンティティの調査管理履歴と、
を備えるグループから選択される視聴履歴と、
を備えるグループから選択される履歴データにさらに基づく、請求項８に記載の方法。
【請求項１２】
前記直前のユーザ調査返答が前記識別されたエンティティから受信されて以来経過した時間が、調査期間より長い場合に、および
前記直前のユーザ調査返答が前記識別されたエンティティから受信されて以来、前記識別されたエンティティにより視聴されたメディアプログラムの数が、Ｎを超える場合に、および
前記ユーザが、指定された量の以前に受け入れられた調査返答よりも多く削除していない場合に、
前記第１のデータは、前記ユーザ情報を提供する選択肢を提示する命令を含む、請求項１１に記載の方法。
【請求項１３】
前記第２のデータを前記ユーザデバイスから受け入れた後、前記調査返答を修正する要求を前記ユーザデバイスから受け入れるステップと、
前記調査返答を取り出すステップと、
前記取り出された調査返答を前記ユーザデバイスに送信するステップと、
修正された調査返答を前記ユーザデバイスから受信するステップと、
前記修正された調査返答を格納するステップと、
をさらに備える、請求項２に記載の方法。
【請求項１４】
前記取り出された調査返答が、第１の複数の質問を有する第１の調査に応答して提供される第１の複数の調査返答を備え、
前記第１の複数の調査質問の各々は、複数の調査質問カテゴリの少なくとも１つに関連づけられ、
前記取り出された調査返答は、複数の調査カテゴリの少なくとも１つの中に整理される、
請求項１３に記載の方法。
【請求項１５】
前記取り出された調査返答は、
第１の複数の質問を有する第１の調査に応答して提供される第１の調査返答と、
第２の複数の質問を有する第２の調査に応答して提供される第２の調査返答と、
を備え、
前記取り出された調査返答は、前記第１の調査および前記第２の調査に従って整理される、
請求項１３に記載の方法。
【請求項１６】
前記広告は複数の広告を備え、
前記取り出された調査返答を前記ユーザデバイスに送信するステップは、
前記メディアプログラムと共に提示された前記複数の広告を前記取り出された調査返答と相関させるステップと、
前記複数の広告と相関させられた前記取り出された調査返答を送信するステップと、
を備える、請求項１３に記載の方法。
【請求項１７】
前記ユーザ情報は、前記広告に関するユーザフィードバックを備える、請求項１に記載の方法。
【請求項１８】
前記ユーザ情報は、
前記ユーザデバイスに現在ストリーミングされている広告であって、前記ユーザ情報を提供するオプションと同時に提示される広告、に関するユーザフィードバック、
を備える、請求項１７に記載の方法。
【請求項１９】
前記ユーザフィードバックは、選択のために前記ユーザに提示される広告オプションを識別するために使用される、請求項１７に記載の方法。
【請求項２０】
識別された広告制御オプションを備える第３のデータを前記ユーザデバイスに送信するステップと、
ユーザ選択された広告制御オプションを備える第４のデータを前記ユーザデバイスから受信するステップと、
をさらに備え、
前記メディアプログラムおよび広告は、前記ユーザ選択された広告制御オプションに従って前記ユーザデバイスにストリーミングされる、
請求項１９に記載の方法。
【手続補正２】
【補正対象書類名】明細書
【補正対象項目名】０３０３
【補正方法】変更
【補正の内容】
【０３０３】
結論
ここでは、本発明の好ましい複数の実施形態の説明の結論が下される。本発明の好ましい実施形態の以上の説明は、例示および説明のために提示された。本発明の好ましい実施形態の以上の説明は、網羅的なものでも、開示した厳密な形態に本発明を限定するものでもない。以上の教示に照らして、多くの修正および変形が可能である。本発明の範囲は、この詳細な説明によって限定されるものではなく、むしろ本明細書に添付の特許請求の範囲によって限定されるものである。上記の説明、例およびデータは、本発明の製造、および組成物の用途の完全な説明を提供する。本発明の多くの実施形態は、本発明の精神および範囲を逸脱することなく作成することができるので、本発明は、以下に添付される特許請求の範囲にある。
以下に、本願出願時の特許請求の範囲に記載された発明を付記する。
[１]メディアプログラムおよび広告をユーザデバイスに送信する方法であって、
前記ユーザデバイス上でユーザ情報を提供するための選択肢を提示するための複数の命令を任意選択で含む第１のデータを前記ユーザデバイスに送信することと、
前記ユーザ情報を任意選択で含む第２のデータを前記ユーザデバイスから受け入れることと、
前記メディアプログラムおよび前記広告を前記ユーザ情報に従って前記ユーザデバイスにストリーミングすることと、
の各ステップを備える方法。
[２]前記ユーザ情報は、複数のユーザ調査返答を備える、前記[１]に記載の方法。
[３]前記複数のユーザ調査返答を提供するための前記選択肢は、前記ユーザデバイスから受信される、前記メディアプログラムの要求に応答して、かつ前記メディアプログラムの前記ストリーミング前に提示される、前記[２]に記載の方法。
[４]前記広告は、第１の量の広告、または前記第１の量の広告より少ない第２の量の広告を備え、
前記メディアプログラムおよび前記広告を前記ユーザ情報に従って前記ユーザデバイスに送信する前記ステップは、
前記第２のデータが前記複数のユーザ調査返答を含まない場合に、前記メディアプログラムおよび前記第１の量の広告を送信することと、
前記第２のデータが前記複数のユーザ調査返答を含む場合に、前記メディアプログラムおよび前記第２の量の広告を送信することと、
の各ステップを備える、
前記[３]に記載の方法。
[５]前記第２の量の広告は、前記第１の量の広告より短い継続時間からなる、前記[４]に記載の方法。
[６]前記第２の量の広告は、前記第１の量の広告より少ない複数の広告からなる、前記[４]に記載の方法。
[７]前記広告は、第１の数の複数の広告のための中断、または前記第１の数の複数の広告のための中断より少ない第２の数の複数の広告のための中断の中で提示され、
前記メディアプログラムおよび前記広告を前記ユーザ情報に従って前記ユーザデバイスに送信する前記ステップは、
前記第２のデータが前記複数のユーザ調査返答を含まない場合、前記メディアプログラム、および前記第１の数の複数の広告のための中断の中の前記広告を送信することと、
前記第２のデータが前記複数のユーザ調査返答を含む場合、前記メディアプログラム、および前記第２の数の複数の広告のための中断の中の前記広告を送信することと、
の各ステップを備える、
前記[３]に記載の方法。
[８]前記第１のデータを前記ユーザデバイスに送信する前記ステップは、
ユーザおよび前記ユーザデバイスを備えるグループから選択されるエンティティを一意に識別する識別情報を前記ユーザデバイスから受信することと、
前記第１のデータが、少なくとも部分的に前記識別情報に基づき前記ユーザ情報を提供する前記選択肢を提示するための前記複数の命令を含むべきかどうかを判定することと、
前記判定に従って、前記ユーザ情報を提供するための前記選択肢を提示するための前記複数の命令を備える前記第１のデータを送信することと、
の各ステップを備える、前記[２]に記載の方法。
[９]前記識別情報は、前記ユーザデバイスを一意に識別する、前記[８]に記載の方法。
[１０]前記識別情報は、前記ユーザを一意に識別する、前記[８]に記載の方法。
[１１]前記第１のデータが、前記ユーザ情報を提供するための前記選択肢を提示するための前記複数の命令を含むかどうかを判定する前記ステップは、
直前のユーザ調査返答が前記識別されたエンティティから受信されて以来経過した時間を備える、前記識別されたエンティティの調査履歴と、
前記識別されたエンティティの視聴履歴であって、
前記直前のユーザ調査返答が前記識別されたエンティティから受信されて以来の、前記識別されたエンティティに対する視聴継続期間情報と、
前記直前のユーザ調査返答が前記識別されたエンティティから受信されて以来の、前記識別されたエンティティにより視聴された複数のメディアプログラムの数と、
削除された、以前に受け入れられた複数のユーザ調査返答を備える、前記識別されたエンティティの調査管理履歴と、
を備えるグループから選択される視聴履歴と、
を備えるグループから選択される履歴データにさらに基づく、前記[８]に記載の方法。
[１２]前記直前のユーザ調査返答が前記識別されたエンティティから受信されて以来経過した時間が、調査期間より大きい場合に、および
前記直前のユーザ調査返答が前記識別されたエンティティから受信されて以来、前記識別されたエンティティにより視聴された前記複数のメディアプログラムの前記数がＮを超える場合に、および
前記ユーザは、指定された量の以前に受け入れられた複数の調査返答よりも多く削除していない場合に、
前記第１のデータは、前記ユーザ情報を提供するための前記選択肢を提示するための前記複数の命令を含む、前記[１１]に記載の方法。
[１３]前記第２のデータを前記ユーザデバイスから受け入れた後、前記複数の調査返答を修正する要求を前記ユーザデバイスから受け入れることと、
前記複数の調査返答を取り出すことと、
前記取り出された複数の調査返答を前記ユーザデバイスに送信することと、
修正された複数の調査返答を前記ユーザデバイスから受信することと、
前記修正された複数の調査返答を格納することと、
の各ステップをさらに備える、前記[２]に記載の方法。
[１４]前記取り出された複数の調査返答が、第１の複数の質問を有する第１の調査に応答して提供される第１の複数の調査返答を備え、前記第１の複数の調査質問の各々は、複数の調査質問カテゴリの少なくとも１つに関連づけられ、
前記取り出された複数の調査返答は、複数の調査カテゴリの少なくとも１つの中に整理される、
前記[１３]に記載の方法。
[１５]前記取り出された複数の調査返答は、
第１の複数の質問を有する第１の調査に応答して提供される第１の複数の調査返答と、
第２の複数の質問を有する第２の調査に応答して提供される第２の複数の調査返答と、
を備え、前記取り出された複数の調査返答は、前記第１の調査および前記第２の調査に従って整理される、
前記[１３]に記載の方法。
[１６]前記広告は複数の広告を備え、
前記取り出された複数の調査返答を前記ユーザデバイスに送信する前記ステップは、
前記メディアプログラムと共に提示された前記複数の広告を前記取り出された複数の調査返答と相関させることと、
前記複数の広告と相関させられた前記取り出された複数の返答を送信することと、
の各ステップを備える、
前記[１３]に記載の方法。
[１７]前記ユーザ情報は、前記広告に関するユーザフィードバックを備える、前記[１]に記載の方法。
[１８]前記ユーザ情報は、前記ユーザデバイスに現在ストリーミングされており、かつ前記ユーザ情報を提供するためのオプションを同時に提示されている広告に関するユーザフィードバックを備える、前記[１７]に記載の方法。
[１９]前記ユーザフィードバックは、選択のために前記ユーザに提示される複数の広告オプションを識別するために使用される、前記[１７]に記載の方法。
[２０]前記識別された複数の広告制御オプションを備える第３のデータを前記ユーザデバイスに送信することと、
前記ユーザ選択の複数の広告制御オプションを備える第４のデータを前記ユーザデバイスから受信することと、
の各ステップをさらに備え、
前記メディアプログラムおよび前記複数の広告は、前記ユーザ選択の複数の広告制御オプションに従って前記ユーザデバイスにストリーミングされる、
前記[１９]に記載の方法。
[２１]メディアプログラムおよび広告をユーザデバイスに送信する装置であって、
前記ユーザデバイス上でユーザ情報を提供するための選択肢を提示するための複数の命令を任意選択で含む第１のデータを前記ユーザデバイスに送信するための手段と、
前記ユーザ情報を任意選択で含む第２のデータを前記ユーザデバイスから受信するための手段と、
前記メディアプログラムおよび前記広告を前記ユーザ情報に従って前記ユーザデバイスにストリーミングするための手段と、
を備える装置。
[２２]前記ユーザ情報は、複数の調査返答を備える、前記[２１]に記載の装置。
[２３]前記複数のユーザ調査返答を提供するための前記選択肢は、前記ユーザデバイスから受信される前記メディアプログラムの要求に応答して、かつ前記メディアプログラムの前記ストリーミング前に提示される、前記[２２]に記載の装置。
[２４]前記広告は、第１の量の広告、または前記第１の量の広告より少ない第２の量の広告を備え、
前記メディアプログラムおよび前記広告を前記ユーザ情報に従って前記ユーザデバイスに送信するための手段は、
前記第２のデータが前記複数のユーザ調査返答を含まない場合に、前記メディアプログラムおよび前記第１の量の広告を送信するための手段と、
前記第２のデータが前記複数のユーザ調査返答を含む場合に、前記メディアプログラムおよび前記第２の量の広告を送信するための手段と、
を備える、
前記[２３]に記載の装置。
[２５]前記第２の量の広告は、前記第１の量の広告より短い継続時間からなる、前記[２４]に記載の装置。
[２６]前記第２の量の広告は、前記第１の量の広告より少ない複数の広告からなる、前記[２４]に記載の装置。
[２７]前記広告は、第１の数の複数の広告のための中断、または前記第１の量の複数の広告のための中断より少ない第２の数の複数の広告のための中断の中で提示され、
前記メディアプログラムおよび前記広告を前記ユーザ情報に従って前記ユーザデバイスに送信する前記ステップは、
前記第２のデータが前記複数のユーザ調査返答を含まない場合、前記メディアプログラム、および前記第１の数の複数の広告のための中断の中の前記広告を送信することと、
前記第２のデータが前記複数のユーザ調査返答を含む場合、前記メディアプログラム、および前記第２の数の複数の広告のための中断の中の前記広告を送信することと、
の各ステップを備える、
前記[２３]に記載の方法。
[２８]前記第１のデータを前記ユーザデバイスに送信する前記ステップは、
ユーザおよび前記ユーザデバイスを備えるグループから選択されるエンティティを一意に識別する識別情報を前記ユーザデバイスから受信するための手段と、
前記第１のデータが、少なくとも部分的に前記識別情報に基づき前記ユーザ情報を提供する前記選択肢を提示するための前記複数の命令を含むべきかどうかを判定するための手段と、
前記判定に従って、前記ユーザ情報を提供するための前記選択肢を提示するための前記複数の命令を備える前記第１のデータを送信するための手段と、
を備える、前記[２２]に記載の装置。
[２９]前記識別情報は、前記ユーザデバイスを一意に識別する、前記[２８]に記載の装置。
[３０]前記識別情報は、前記ユーザを一意に識別する、前記[２８]に記載の装置。
[３１]前記第１のデータが、前記ユーザ情報を提供するための前記選択肢を提示するための前記複数の命令を含むかどうかが、
直前のユーザ調査返答が前記識別されたエンティティから受信されて以来経過した時間を備える、前記識別されたエンティティの調査履歴と、
前記識別されたエンティティの視聴履歴であって、
前記直前のユーザ調査返答が前記識別されたエンティティから受信されて以来の、前記識別されたエンティティに対する視聴継続期間情報と、
前記直前のユーザ調査返答が前記識別されたエンティティから受信されて以来の、前記識別されたエンティティにより視聴された複数のメディアプログラムの数と、
削除された、以前に受け入れられた複数のユーザ調査返答を備える、前記識別されたエンティティの調査管理履歴と、
を備えるグループから選択される視聴履歴と、
を備えるグループから選択される履歴データにさらに基づく、
前記[２８]に記載の装置。
[３２]前記直前のユーザ調査返答が前記識別されたエンティティから受信されて以来経過した時間が、調査期間より大きい場合に、および
前記直前のユーザ調査返答が前記識別されたエンティティから受信されて以来、前記識別されたエンティティにより視聴された複数のメディアプログラムの数がＮを超える場合に、および
前記ユーザは、指定された量の以前に受け入れられた複数の調査返答よりも多く削除しなかった場合に、
前記第１のデータは、前記ユーザ情報を提供するための前記選択肢を提示するための前記複数の命令を含む、前記[３１]に記載の装置。
[３３]前記第２のデータを前記ユーザデバイスから受け入れた後に、前記複数の調査返答を修正する要求を前記ユーザデバイスから受け入れるための手段と、
前記複数の調査返答を取り出すための手段と、
前記取り出された複数の調査返答を前記ユーザデバイスに送信するための手段と、
修正された複数の調査返答を前記ユーザデバイスから受信するための手段と、
前記修正された複数の調査返答を格納するための手段と、
をさらに備える、前記[２２]に記載の装置。
[３４]前記取り出された複数の調査返答は、第１の複数の質問を有する第１の調査に応答して提供される第１の複数の調査返答を備え、前記第１の複数の調査質問の各々は、複数の調査質問カテゴリの少なくとも１つに関連づけられ、
前記取り出された複数の調査返答は、複数の調査カテゴリの少なくとも１つの中に整理される、
前記[３３]に記載の装置。
[３５]前記取り出された複数の調査返答は、
第１の複数の質問を有する第１の調査に応答して提供される第１の複数の調査返答と、
第２の複数の質問を有する第２の調査に応答して提供される第２の複数の調査返答と、
を備え、前記取り出された複数の調査返答は、前記第１の調査および前記第２の調査に従って整理される、
前記[３３]に記載の装置。
[３６]前記広告は複数の広告を備え、
前記取り出された複数の調査返答を前記ユーザデバイスに送信するための手段は、
前記メディアプログラムと共に提示された前記複数の広告を前記取り出された複数の調査返答と相関させるための手段と、
前記複数の広告と相関させられた前記取り出された複数の調査返答を送信するための手段と、
を備える、
前記[３３]に記載の装置。
[３７]前記ユーザ情報は、前記広告に関するユーザフィードバックを備える、前記[２１]に記載の装置。
[３８]前記ユーザ情報は、前記ユーザデバイスに現在ストリーミングされており、かつ前記ユーザ情報を提供するためのオプションを同時に提示されている広告に関するユーザフィードバックを備える、前記[３７]に記載の装置。
[３９]前記ユーザフィードバックは、選択のために前記ユーザに提示される複数の広告オプションを識別するために使用される、前記[３７]に記載の装置。
[４０]前記識別された複数の広告制御オプションを備える第３のデータを前記ユーザデバイスに送信するための手段と、
前記ユーザ選択の複数の広告制御オプションを備える第４のデータを前記ユーザデバイスから受信するための手段と、
前記メディアプログラムおよび複数の広告は、前記ユーザ選択の複数の広告制御オプションに従って前記ユーザデバイスにストリーミングされるための手段と、
をさらに備える、前記[３９]に記載の装置。
[４１]メディアプログラムおよび広告をユーザデバイスに送信する装置であって、
プロセッサと、
前記プロセッサに通信可能に結合されたメモリであって、
前記ユーザデバイス上でユーザ情報を提供するための選択肢を提示するための複数の命令を任意選択で含む第１のデータを前記ユーザデバイスに送信することと、
前記ユーザ情報を任意選択で含む第２のデータを前記ユーザデバイスから受け入れることと、
前記メディアプログラムおよび前記広告を前記ユーザ情報に従って前記ユーザデバイスにストリーミングすることと、
のための複数の命令を備える複数の命令を格納するメモリと、
を備える装置。
[４２]前記ユーザ情報は、複数のユーザ調査返答を備える、前記[４１]に記載の装置。
[４３]前記複数のユーザ調査返答を提供するための前記選択肢は、前記ユーザデバイスから受信される前記メディアプログラムの要求に応答して、かつ前記メディアプログラムの前記ストリーミング前に提示される、前記[４２]に記載の装置。
[４４]前記広告は、第１の量の広告、または前記第１の量の広告より少ない第２の量の広告を備え、
前記メディアプログラムおよび前記広告を前記ユーザ情報に従って前記ユーザデバイスに送信するための前記複数の命令は、
前記第２のデータが前記複数のユーザ調査返答を含まない場合に、前記メディアプログラムおよび前記第１の量の広告を送信するための複数の命令と、
前記第２のデータが前記複数のユーザ調査返答を含む場合に、前記メディアプログラムおよび前記第２の量の広告を送信するための複数の命令と、
を備える、
前記[４３]に記載の装置。
[４５]前記第２の量の広告は、前記第１の量の広告より短い継続時間からなる、前記[４４]に記載の装置。
[４６]前記第２の量の広告は、前記第１の量の広告より少ない複数の広告からなる、前記[４４]に記載の装置。
[４７]前記広告は、第１の数の複数の広告のための中断、または前記第１の量の複数の広告のための中断より少ない第２の数の複数の広告のための中断の中で提示され、
前記メディアプログラムおよび前記広告を前記ユーザ情報に従って前記ユーザデバイスに送信するための前記複数の命令は、
前記第２のデータが前記複数のユーザ調査返答を含まない場合、前記メディアプログラム、および前記第１の数の複数の広告のための中断の中の前記広告を送信することと、
前記第２のデータが前記複数のユーザ調査返答を含む場合、前記メディアプログラム、および前記第２の数の複数の広告のための中断の中の前記広告を送信することと、
のための複数の命令を備える、
前記[４３]に記載の方法。
[４８]前記複数の命令は、
前記第２のデータを前記ユーザデバイスから受け入れた後に、前記複数の調査返答を修正する要求を前記ユーザデバイスから受け入れることと、
前記複数の調査返答を取り出すことと、
前記取り出された複数の調査返答を前記ユーザデバイスに送信することと、
修正された複数の調査返答を前記ユーザデバイスから受信することと、
前記修正された複数の調査返答を格納することと、
のための複数の命令をさらに備える、前記[４２]に記載の装置。
[４９]前記ユーザ情報は、前記広告に関するユーザフィードバックを備える、前記[４１]に記載の装置。
[５０]前記ユーザ情報は、前記ユーザデバイスに現在ストリーミングされており、かつ前記ユーザ情報を提供するためのオプションを同時に提示されている広告に関するユーザフィードバックを備える、前記[４９]に記載の装置。
[５１]前記ユーザフィードバックは、選択のために前記ユーザに提示される複数の広告オプションを識別するために使用される、前記[４９]に記載の装置。
[５２]前記複数の命令は、
前記識別された複数の広告制御オプションを備える第３のデータを前記ユーザデバイスに送信することと、
前記ユーザ選択の複数の広告制御オプションを備える第４のデータを前記ユーザデバイスから受信することと、
のための複数の命令をさらに備え、
前記メディアプログラムおよび複数の広告は、前記ユーザ選択の複数の広告制御オプションに従って前記ユーザデバイスにストリーミングされる、
前記[４９]に記載の装置。
[５３]前記識別された複数の広告制御オプションは、
１つだけの特定の広告が、前記広告のための中断の間に視聴するために選ばれることが可能になる、前記ユーザデバイス上の１組の特定の複数の広告
を備える、前記[５２]に記載の装置。